【手続補正書】
【提出日】平成21年8月3日(2009.8.3)
【手続補正１】
【補正対象書類名】特許請求の範囲
【補正対象項目名】全文
【補正方法】変更
【補正の内容】
【特許請求の範囲】
【請求項１】
記憶装置に記憶される、複数種類のデータフィールドからなるレコードから、選択されたデータフィールドのデータを挿入するためのフィールド領域を、ドキュメントにレイアウトする情報処理装置であって、
前記ドキュメント上にレイアウトされる前記フィールド領域にデータを挿入して、該フィールド領域のレイアウト処理を実行するレイアウト手段と、
前記レイアウト手段によって得られるドキュメント上のオブジェクトのレイアウト調整を許容する範囲を示す調整許可設定値を設定する第１設定手段と、
前記レイアウト手段によるレイアウト結果を、予め指定されたドキュメントフォーマットのドキュメントに変換する変換手段と、
予め選択された調整方法に基づいて、前記ドキュメント上のオブジェクトを、前記調整許可設定値に基づいてレイアウト調整を許容するインタラクティブオブジェクトとして設定する第２設定手段と
を備えることを特徴とする情報処理装置。
【請求項２】
前記第２設定手段は、前記調整許可設定値が示す可動位置範囲及びサイズ変更可能量を、前記インタラクティブオブジェクトのレイアウト調整操作で許容する可動位置範囲及びサイズ変更可能量として設定する
ことを特徴とする請求項１に記載の情報処理装置。
【請求項３】
前記フィールド領域の可動位置範囲及びサイズ変更可能量を設定する第３設定手段を更に備える
ことを特徴とする請求項１に記載の情報処理装置。
【請求項４】
前記第１設定手段は、前記第３設定手段で設定された可動位置範囲及びサイズ変更可能量を調整することで、前記調整許可設定値を設定する
ことを特徴とする請求項３に記載の情報処理装置。
【請求項５】
前記フィールド領域の種類は、可動位置範囲及びサイズ変更可能量を有する動的フィールド領域と、可動位置範囲及びサイズ変更可能量を持たない静的フィールド領域の２種類がある
ことを特徴とする請求項１に記載の情報処理装置。
【請求項６】
前記第１設定手段は、前記調整許可設定値として、前記オブジェクトの可動位置範囲及びサイズ変更可能量を調整する調整手段と、
前記調整手段による調整の可否を、前記可動位置範囲及び前記サイズ変更可能量に対して個別に指定する指定手段と
を備えることを特徴とする請求項１に記載の情報処理装置。
【請求項７】
前記調整方法として、前記ドキュメント上のオブジェクトの調整を許容する調整許容モードと、調整を禁止する調整禁止モードの少なくとも２種類の調整モードのどちらかを選択する選択手段を更に備える
ことを特徴とする請求項１に記載の情報処理装置。
【請求項８】
前記第２設定手段による設定がなされたドキュメント上のオブジェクトをレイアウト調整するオブジェクト調整手段と、
前記ドキュメントを印刷する印刷手段と
を更に備えることを特徴とする請求項１に記載の情報処理装置。
【請求項９】
当該情報処理装置とネットワークを介して接続される外部装置へ、前記第２設定手段による設定がなされたドキュメントを配信する配信手段を更に備える
ことを特徴とする請求項１に記載の情報処理装置。
【請求項１０】
記憶装置に記憶される、複数種類のデータフィールドからなるレコードから、選択されたデータフィールドのデータを挿入するためのフィールド領域を、ドキュメントにレイアウトする情報処理装置の制御方法であって、
前記ドキュメント上にレイアウトされる前記フィールド領域にデータを挿入して、該フィールド領域のレイアウト処理を実行するレイアウト工程と、
前記レイアウト工程によって得られるドキュメント上のオブジェクトのレイアウト調整を許容する範囲を示す調整許可設定値を設定する第１設定工程と、
前記レイアウト工程によるレイアウト結果を、予め指定されたドキュメントフォーマットのドキュメントに変換する変換工程と、
予め選択された調整方法に基づいて、前記ドキュメント上のオブジェクトを、前記調整許可設定値に基づいてレイアウト調整を許容するインタラクティブオブジェクトとして設定する第２設定工程と
を備えることを特徴とする情報処理装置の制御方法。
【請求項１１】
記憶装置に記憶される、複数種類のデータフィールドからなるレコードから、選択されたデータフィールドのデータを挿入するためのフィールド領域を、ドキュメントにレイアウトする制御をコンピュータに機能させるためのプログラムであって、
前記コンピュータを、
前記ドキュメント上にレイアウトされる前記フィールド領域にデータを挿入して、該フィールド領域のレイアウト処理を実行するレイアウト手段と、
前記レイアウト手段によって得られるドキュメント上のオブジェクトのレイアウト調整を許容する範囲を示す調整許可設定値を設定する第１設定手段と、
前記レイアウト手段によるレイアウト結果を、予め指定されたドキュメントフォーマットのドキュメントに変換する変換手段と、
予め選択された調整方法に基づいて、前記ドキュメント上のオブジェクトを、前記調整許可設定値に基づいてレイアウト調整を許容するインタラクティブオブジェクトとして設定する第２設定手段と
して機能させることを特徴とするプログラム。
【請求項１２】
コンテンツを描画するための描画領域であるコンテナの属性に基づき、前記コンテンツがレイアウトされたデータを記憶する記憶手段と、
前記コンテナの属性に基づき、前記コンテンツの修正範囲を設定する設定手段と、
前記設定手段により設定されたコンテンツの修正範囲に基づき、前記コンテンツの修正範囲が制限されるドキュメントを生成する生成手段と
を備えることを特徴とする情報処理装置。
【請求項１３】
コンテンツを描画するための描画領域であるコンテナの属性に基づき、前記コンテンツがレイアウトされたデータを記憶する記憶手段と、
前記コンテナの属性に基づき、前記コンテンツの移動許可領域、またはサイズ変更許可範囲を設定する設定手段と、
前記設定手段により設定されたコンテンツの移動許可領域、またはサイズ変更許可範囲に基づき、前記コンテンツの移動許可領域、またはサイズ変更許可範囲が制限されるドキュメントを生成する生成手段と
を備えることを特徴とする情報処理装置。
【請求項１４】
コンテンツを描画するための描画領域であるコンテナの属性に基づき、前記コンテンツがレイアウトされたデータからドキュメントを生成するドキュメント生成方法であって、
前記コンテナの属性に基づきコンテンツの修正範囲を設定する設定工程と、
前記設定工程により設定されたコンテンツの修正範囲に基づき、前記コンテンツの修正範囲が制限されるドキュメントを生成する生成工程と
を備えることを特徴とするドキュメント生成方法。
【請求項１５】
コンテンツを描画するための描画領域であるコンテナの属性に基づき、前記コンテンツがレイアウトされたデータからドキュメントを生成するドキュメント生成方法であって、
前記コンテナの属性に基づき、前記コンテンツの移動許可領域、またはサイズ変更許可範囲を設定する設定工程と、
前記設定工程により設定されたコンテンツの移動許可領域、またはサイズ変更許可範囲に基づき、前記コンテンツの移動許可領域、またはサイズ変更許可範囲が制限されるドキュメントを生成する生成工程と
を備えることを特徴とするドキュメント生成方法。
【請求項１６】
コンテンツを描画するための描画領域であるコンテナの属性に基づき、前記コンテンツがレイアウトされたデータからドキュメントを生成するコンピュータに機能させるためのプログラムであって、
前記コンピュータを、
前記コンテナの属性に基づき、前記コンテンツの移動許可領域、またはサイズ変更許可範囲を設定する設定手段と、
前記設定手段により設定されたコンテンツの移動許可領域、またはサイズ変更許可範囲に基づき、前記コンテンツの移動許可領域、またはサイズ変更許可範囲が制限されるドキュメントを生成する生成手段と
して機能させることを特徴とするプログラム。
【請求項１７】
コンテンツを描画するための描画領域であるコンテナの属性に基づき、前記コンテンツがレイアウトされたデータからドキュメントを生成するコンピュータに機能させるためのプログラムであって、
前記コンピュータを、
前記コンテナの属性に基づき、前記コンテンツの移動許可領域、またはサイズ変更許可範囲を設定する設定手段と、
前記設定手段により設定されたコンテンツの移動許可領域、またはサイズ変更許可範囲に基づき、前記コンテンツの移動許可領域、またはサイズ変更許可範囲が制限されるドキュメントを生成する生成手段と
して機能させることを特徴とするプログラム。